(57)【要約】【課題】作業者の作業性や経済性を向上させ、ユニット装置の小型化、及び低コスト化となる樹脂製ケースとカバーからなるユニット装置を提供する。【解決手段】内部に複数の部品を収納する樹脂製のケース１とケース１に係合してケース１を覆う樹脂製の親カバー３からなるユニツト装置筐体において、親カバー３に対して係合する複数の子カバー９〜１１からなる２段分離式組み合わせカバー構造とし、その際、親カバー３の大きな連続穴形状に対して、その上の２段目に配置される子カバー９，１０，１１を相互に並列隣接させて位置決め装着できるツメ構造と強固な保持力を持った挟み込み式のツメ構造７、８を有するようにした。【選択図】　　図１
2004071697.tif 000002
【特許請求の範囲】
【請求項１】
内部に複数の部品を収納する樹脂製のケースと該ケースに係合して該ケースを覆う樹脂製の親カバーからなるユニツト装置筐体において、前記親カバーに対して係合する複数の子カバーからなる２段分離式組み合わせカバー構造を有することを特徴とするユニット装置筐体。
【請求項２】
前記２段分離式組み合わせカバーの１段目に配置される親カバーの大きな連続穴形状に対して、その上の２段目に配置される子カバー複数を相互に並列隣接させて位置決め装着できるツメ構造と強固な保持力を持った挟み込み式のツメ構造を有することを特徴とする請求項１記載のユニット装置筐体。
【請求項３】
前記２段分離式組み合わせカバーの１段目に配置される大きな連続穴形状を有する親カバーに対して、その上の２段目に配置される子カバー自身が前記親カバーの強度補強のためのリブ構造機能を有することを特徴とする請求項２記載のユニット装置筐体。
【請求項４】
前記親カバーに形成された親カバーツメの両端に欠き部を形成することにより前記親カバーツメに弾力性を持たせ、もって該親カバーツメが子カバーに形成された子カバー穴に潜り込むことを可能ならしめることを特徴とする請求項１〜３のいずれか１項記載のユニット装置筐体。
【請求項５】
前記親カバーが子カバーの挿入経路にテーパ形状の位置決め用突起を有していることを特徴とする請求項１〜４のいずれか１項記載のユニット装置筐体。
【発明の詳細な説明】
【０００１】
【発明の属する技術分野】
本発明は、電子部品を搭載したプリント基板を複数収納する樹脂製のケースとカバーからなるユニット装置に関する。
【０００２】
【従来の技術】
従来、電子部品を搭載したプリント基板を複数収納する樹脂製のケースとカバーからなるユニット装置において、前記プリント基板の収納に際しては、まずプリント基板を前記ケースに装着し、そのケースに対してインターフェース用のコネクタ穴やスイッチ設定用の穴等の空いたカバーを装着する構造が一般的であった。これは、枚数のプリント基板が収納された一つのケースに対して一つのカバーが対応する形であった。
【０００３】
【発明が解決しようとする課題】
図１２はこのような従来技術のユニット装置例を全体の等角図で示すものであり、図１３は従来の１段式カバー構造の下面図を示している。
このような従来技術では、図１２および図１３で見られるように、複数のプリント基板９３、９４、９５などが収納された一つケース本体９０に対して、一つのカバー９１が対応する形であるため、一つのプリント基板の交換時でさえもカバー全体を一度ケースから取り外す必要があり、能率的ではなかった。
また、カバー全体を取り外す必要があるために、交換対象外のプリント基板に対しても通常インターフェースコネクタに取り付けられているケーブルコネクタを取り外すなどといった配線作業も行う必要があり、手間がかかり、作業性が良くなかった。
そこで今回、通常交換頻度の少ないプリント基板部と交換頻度の高いプリント基板部のカバーをそれぞれ分離した２段式構造を提案する。
しかし、このような分離型のカバー構造の場合、カバーの材料が樹脂製であると強度的に弱いため、カバーに連続する大きな穴を空けることはできず、連続しないようにするためには装置が大型化するといった問題があった。
また、個別の独立した穴一つに対してカバー一つを位置決めすることは容易ではあるが、このような連続する穴一つに複数のカバーを位置決めすることは困難であり、さらに、通常はカバーの強度補強のためにリブ構造を持たせるのが一般的であるが、カバーに連続する大きな穴を空けるとリブ構造がとれないという欠点もあった。
また、カバーの取付に締結部品を用いるとコストが高くなり、装置も大型になるといった弊害もあり、装置の小型化やカバーの位置決め方法、構造強度、締結方法などに多くの問題があった。
そこで、本発明は従来の問題点を解決すべく、ユニット装置カバーを一つの親カバーと複数の子カバーからなる２段分離式の組み合わせ構造にし、子カバーはそれぞれ別々に独立して親カバーから簡易脱着可能な構造することによって、プリント基板単位でそれぞれ簡単かつ能率的に交換を可能にし、作業性の向上を図る。また、締結部品を使わずに子カバーを親カバーの連続する大きな穴に並列隣接させて位置決め可能なツメ構造とカバー締結保持力の強い挟み込み式のツメ構造を有し、さらに子カバー自身が親カバーの強度補強のためのリブ構造機能を有することにより、高剛性で信頼性の高い装置を提供すると共に、装置の小型化、及び低コスト化を実現する装置を提供することを目的とする。
【０００４】
【課題を解決するための手段】
前記課題を解消するために、請求項１記載のユニット装置筐体の発明は、内部に複数の部品を収納する樹脂製のケースと該ケースに係合して該ケースを覆う樹脂製の親カバーからなるユニツト装置筐体において、前記親カバーに対して係合する複数の子カバーからなる２段分離式組み合わせカバー構造を有することを特徴とする。
請求項２記載の発明は、請求項１記載のユニット装置筐体において、前記２段分離式組み合わせカバーの１段目に配置される親カバーの大きな連続穴形状に対して、その上の２段目に配置される子カバー複数を相互に並列隣接させて位置決め装着できるツメ構造と強固な保持力を持った挟み込み式のツメ構造を有することを特徴とする。
請求項３記載の発明は、請求項２記載のユニット装置筐体において、前記２段分離式組み合わせカバーの１段目に配置される大きな連続穴形状を有する親カバーに対して、その上の２段目に配置される子カバー自身が前記親カバーの強度補強のためのリブ構造機能を有することを特徴とする。
請求項４記載の発明は、請求項１〜３のいずれか１項記載のユニット装置筐体において、前記親カバーに形成された親カバーツメの両端に欠き部を形成することにより前記親カバーツメに弾力性を持たせ、もって該親カバーツメが子カバーに形成された子カバー穴に潜り込むことを可能ならしめることを特徴とする。
請求項５記載の発明は、請求項１〜４のいずれか１項記載のユニット装置筐体において、前記親カバーが子カバーの挿入経路にテーパ形状の位置決め用突起を有していることを特徴とする。
以上のように、プリント基板などの部品単位でそれぞれ簡単かつ能率的に交換を可能にし、作業性の向上が図される。また、締結部品を使わずに子カバーを親カバーの連続する大きな穴に並列隣接させて位置決め可能なツメ構造とカバー締結保持力の強い挟み込み式のツメ構造を有し、さらに子カバー自身が親カバーの強度補強のためのリブ構造機能を有すること、親カバーツメに弾力性を持たせること、親カバーが子カバーの挿入に対し挿入個所を簡単に位置決めできるようにすることにより、高剛性で信頼性の高い装置を提供すると共に、装置の小型化、及び低コスト化を実現する装置を提供することができる。
【０００５】
【発明の実施の形態】
以下、本発明の実施の形態を図に基づいて詳細に説明する。
この発明の実施の形態では、電子部品を搭載したプリント基板を複数収納する樹脂製のケースとカバーからなるユニット装置において、前記ケースに対して一つの親カバーと複数の子カバーから構成される場合の例を示す。
図１は本発明の第１の実施の形態に係るユニツト装置の全体の等角図、図２は本発明の２段分離式組み合わせカバー構造を示す下面図である。
図１および図２において、１は樹脂製ケース本体、２はケース穴、３は親カバー本体、４は親カバーケース接合用ツメ（ケース用）、５は親カバー基本部、６は親カバーオプション部、７は親カバー上部ツメ（子カバー用）、８は親カバー下部ツメ（子カバー用）、９は第１子カバー、１０は第２子カバー、１１は第３子カバー、１２は子カバー上部穴、１３は子カバー下部穴、１４は子カバーリブ構造、１５はインターフェースコネクタ用穴、１６はプリント基板、１７はライトアングルコネクタ、１１８はインターフェースコネクタである。
図１および図２から解るように、樹脂製のケース本体１に電子部品を搭載したプリント基板１６を複数個収納している。通常、ケース本体１にマザーボード基板が配置されており、このマザーボード基板上のストレートコネクタにプリント基板のライトアングルコネクタ１７を嵌合させることにより、マザーボード基板にプリント基板を垂直に装着する。
ケース本体１の左右２つずつの計４箇所のケース穴２に対し、親カバー３の左右２つずつの計４つの親カバーケース接合用ツメ４の突起部が組み合わされ接合される。
この親カバー３は、親カバー基本部５と親カバーオプション部６から構成されており、親カバー基本部５には電源基板やメイン基板といった通常は交換頻度の低い主回路プリント基板が装着される。親カバーオプシヨン部６は、伝送プリント基板や入出力プリント基板などの比較的交換頻度の高いカスタム用のプリント基板が装着される。
図１および図２の例ではプリント基板１６がケース本体１のマザーボード基板に取り付けられた後、第３子カバー１１の上面部に位置する子カバー上部穴１２と同下面部に位置する子カバー下部穴１３にそれぞれ親カバー３の親カバー上部ツメ７と親カバー下部ツメ８が入り込み組み合わされる。
同様にして、残りの親カバーオブシヨン部６にも第１子カバー９、第２子カバー１０が装着される。
このようにケース本体に対してーつの親カバーとその連続した穴形状に複数の独立した子カバーを２段階式に分離して組み合わせることができる構造を有することにより、交換頻度の高いプリント基板交換時に目的の子カバーを取り外すだけで親カバーと交換の必要がない他のプリント基板に対する子カバーを外す必要がなく作業性を向上させることができる。
【０００６】
次に、本発明の親カバーと子カバーの構造について説明する。
図３は親カバー構造の等角図、図４は子カバー構造の等角図をそれぞれ示す。図３において、１８は親カバー基本部、１９は親カバーオプション部、２０、２１はケース取り付け用ツメ、２２は上部第１ツメ、２３は上部第２ツメ、２４は上部第３ツメ、２５は下部第１ツメ、２６は下部第２ツメ、２７は下部第３ツメ、２８、２９、３１、３２は切り欠き、３０、３３、３９、４０は子カバー位置決め用突起、３４は表示灯用穴、３５、３６、３７はスイッチ、コネクタ用穴、３８は電源端子用穴、５５は親カバー上部第１ツメ押し部、５６は親カバー上部第２ツメ押し部、５７は親カバー上部第３ツメ押し部である。
さらに、図４において、４１は親カバー上部ツメ挿入用の穴、４２、４３、４５、４６は子カバー位置決め用テーパ形状突起、４４は親カバー下部ツメ挿入用の穴、４７は強度補強リブ形状、４８はプリント基板ガイド溝、４９は表示灯用穴、５０〜５２はコネクタ用穴である。
図３から解るように、親カバーは大きく分けて２つの部分からなる。
一つは、親カバー基本部１８（図１の５に相当）で基本的に電源基板やメイン基板といった通常交換頻度の低い主回路プリント基板などが装着される。ここでは、電源基板の電源供給用の端子台穴３８とメイン基板の表示灯用穴３４、スイッチやコネクタ用穴３５、３６、３７があいている。
もう一つは、親カバーオプシヨン１９部（図１の６に相当）で全面が大きく開いた形状をしている。この上面部には子カバーを取り付けるための上部第１ツメ２２とその両側に切り欠き２８、２９をようしており、このため親カバーの材料自身の弾性力を利用して、予カバーを取り付け、取り外し可能なばね構造を構築する。
また、下面部も上面部と同じように子カバーと取り付けるための下部第１ツメ２５とその両側に切り欠き３１、３２をようしている。同様な構造を上部第２ツメ２３、上部第３ツメ２４、下部第２ツメ２６、下部第３ツメ２７も持っており、それぞれ両側に切り欠き構造を有している。
図中の３０、３３、３９、４０は、子カバーを装着する場合の位置決め用の突起で三角形状をしている。この三角形状の斜面部分が子カバー側の位置決め用のツメのガイドとなり、親カバーに対して子カバーを正確に位置決め装着可能にする。図中の２０、２１は、親カバーをケースに取り付けるためのツメ構造であり、対象のものが親カバーの両側に２つずつの計４つある。このツメをケース側の穴に装着して、親カバーをケースに装着する。
【０００７】
図４の子カバー構造において、子カバーを親カバーに装着するための親カバー上部ツメ挿入用の穴４１とその両側に位置決め用のテーパ形状の突起４２、４３を有する。また、下部にも同様に親カバー下部ツメ挿入用の穴４４とその両側に位置決め用のテーパ形状の突起４５、４６を持っており、子カバー全体としては、上面部、下面部、全面部のコ字型の形状をしている。ここでは、子カバー全面部にはオプション基板の表示灯用穴４９やスイッチやコネクタ用の穴５０、５１、５２などを持つ。
図中の４７は長方形形状をした強度補強用のリブである。また、図中４８はオプション基板の端面が挿入されるプリント基板の位置決め用のガイド溝である。
【０００８】
次に、親カバーと子カバーの装着について説明する。
図５は本発明の親カバーと子カバーを示す横断面図であり、図９中のＡ−Ａ断面に対応する。図６は本発明の親カバーと子カバーを示す横断面図であり、図９中のＢ−Ｂ断面に対応する。
図５において、子カバー（例えば１１）を親カバー３に装着するにあたって、まず、親カバー３の上部ツメ先端部６０が、子カバー１１の上部ガイド６４に従って親カバー上部ツメバネ部６２が下方にたわむことにより潜り込む。これは、図３中の上部第１ツメ２２とその両側に切り欠き構造２８、２９を持つことにより親カバー上部ツメバネ部６２が片持ち梁として働き、材料自身の弾性力を利用したバネ構造を有する。
そして、親カバー上部ツメ突起部６１が、子カバー上部穴６３に到達すると、親カバー上部ツメバネ部６２のたわみが戻り、親カバー上部ツメ突起部６１が子カバー上部穴６３にはまり込む。
図７はこのようにしてはめ込まれた状態の本発明の親カバー３と子カバー１１を示す横断面図である。一方、これと同時に、図６において、子カバー１１の上部の両側に２つある潜り込み用ツメ７０が、親カバー３の上部潜り込み用スペース７１に潜り込む。
図８はこの状態の本発明の親カバー３と子カバー１１を示す横断面図である。このように親カバー３と子カバー１１のそれぞれのツメが相互に潜り込むことにより、強固な締結構造を構成する。このように、子カバーと親カバーのそれぞれのツメが互いにしっかりと挟み込み合い締結し、上下両方向のケースの弾性たわみに対しても高い締結保持力を保つことが可能である。
また、第１子カバーを取り外す際には、この弾力性を持った親カバー上部第１ツメ押し部５５（図３）を下方に押すことにより、親カバー上部ツメ突起部６１が、子カバー上部穴６３から外れる。
親カバー上部第２ツメ押し部５６、親カバー上部第３ツメ押し部５７についても同様であり、また子カバー下部及び親カバー下部においてもそれぞれ子カバー上部、親カバー上部と全く同じ構造を有している。
【０００９】
さらに、図９の本発明の親カバーと子カバーを示す上断面図中に示すように親カバー８０は子カバーの挿入に対し挿入個所を簡単に位置決めできるように位置決め用突起８４、８５を有している。
これは、三角テーパ形状になっているので、第２子カバー８２の位置決め用テーパ形状ツメ８６の斜面部は突起８４と、位置決め用テーパ形状ツメ８７の斜面部は突起８５と接触し、突起が挿入ガイドとして働くことにより、簡単な位置決め装涜が可能となる。
なお、位置決め用突起８４は第１子カバー８１と第２子カバー８２の位置決めガイドとなり、位置決め用突起８５は第２子カバー８２と第３子カバー８３の位置決めガイドとなる。
同様に親カバー下部と子カバー下部についても全く同じ構造をおり、子カバーの並列した高精度の位置決めを可能にしている。
このように、挟み込み式のツメ構造と位置決め機能を有するツメ構造により、特別な締結部品を使わずに結合強度を増やすことができ、コストの低減と装置の小型化、操作の簡易化が実現できる。また、親カバーと子カバーの材料が樹脂製の場合は、今回のような親カバーオプション部のような大きな連続する穴に対しては鉛直方向の強度が特に弱くなり、親カバーケース本体から子カバーが外れると言った問題も生じかねない。
そこで、子カバーにリブ構造４７を持たせ子カバーの断面２次モーメントを増大させることにより、子カバーの水平方向のたわみを減少させる。
また、前記した挟み込み式のツメ構造を親カバーと子カバーの上部、下部の締結部で用いることで子カバーは親カバーに対して、鉛直上下方向に上部、下部において強固に固定され、上部と下部で生じる鉛直方向の反力は互いに打ち消し合う。これらの理由で、子カバーは親カバーにとってあたかも一体のリブ構造のように振る舞うことが可能となり、親カバーオプション部のような大きな連続する穴に対しても鉛直方向の強度が増強でき、鉛直方向のたわみが減少することで、増して親カバーから子カバーが外れにくい構造となる。
また、子カバー内面にはプリント基板位置決め用溝４８を備えることで、プリント基板の押さえと位置決めを行うと同時に、ぐらつきと抜けの防止も図る。
これらの構造の組み合わせにより、高剛性で信頼性の高い装置を実現可能である。
【００１０】
図１０は上述した親カバーと子カバーの本発明に係る係合部であるツメ構造および三角テーパ形状等を示す拡大上面図で、図１１は図１０のツメ構造を示す上面図（陰線表示）である。
図１０に示す子カバー１１が親カバー３に嵌合する際、図１１中の第１子カバー上面１２５の子カバー上部左ツメ１２６と同カバー上部右ツメ１２７が親カバー上面１２４の子カバー上面左ツメ潜り部１２８と同カバー上面右ツメ潜り部１２９にそれぞれ潜り込む。
同時に、親カバー上面１２４の親カバー上面ツメ１３１が、第１子カバー上面１２５の子カバー上面穴１３０に潜り込む。なお、親カバー上面１２４の親カバー上部左切り欠き部１３３と同カバー上部右きり欠き部１３４により、親カバー上部ツメ１３１は弾力性を持った親カバー上部板バネ部１３２を有するもので親カバー上面１２４の親カバー上部ツメ１３１が、第１子カバー上面１２５の子カバー上面穴１３０に潜り込むことが可能になっている。
また、第１子カバー上面１２５を取り外す際には、この弾力性を持った親カバー上部板バネ部１３２を下方に押すことにより、親カバー上部ツメ１３１が、第１子カバー上面１２５の子カバー上面穴１３０から外れる。親カバー下部と子カバー下部についても上面と全く同じ構造をとっている。
従って、親カバー側のツメと子カバー側のツメが上下の２箇所で相互に潜り込むので締結力が高く親カバーに対して子カバーが外れにくい。
さらに、親カバー上部１２４の子カバー位置決め用くさび部１３５が三角テーパ形状になっており、第１子カバー上面１２５の子カバー上部右ツメ１２７側面の傾斜部１２７Ａの挿入ガイドとなるので簡単に位置決め装着が可能となる。
なお、子カバー位置決め用くさび部１３５は第１子カバー上面１２５と第２子カバー上面１３７の位置決めガイドとなり、子カバー位置決め用くさび部１３６は第２子カバー上面１３７と第３子カバー上面１３８の位置決めガイドとなり、同様にこれらは親カバー下部と子カバー下部についても上面と全く同じ構造をとっており、並列した高精度の位置決めを可能にしている。このように、挟み込み式のツメ構造と位置決め機能を有するツメ構造により、特別な締結部品を使わずに結合強度を増やすことができ、コストの低減と装置の小型化、操作の簡易化が実現できる。
また、親カバー１２４と子カバー１２５の材料が樹脂製の場合は、今回のような親カバーオプション部のような大きな穴に対しては鉛直方向の強度が特に弱くなり、ケース本体から親カバーが外れると言った問題も生じかねない。そこで、子カバーにリブ構造１３９を持たせることにより、子カバーの鉛直方向強度を増やすだけでなく、前記した挟み込み式のツメ構造を子カバーの上下部で用いたことで子カバーは親カバーに対して、鉛直上下方向に強固に固定され鉛直方向の反力は打ち消し合い、子カバーは親カバーにとってあたかもリブ構造のように振る舞うことができる。
さらに、子カバー内部にはプリント基板位置決め用溝１４０を備えることで、プリント基板の押さえと位置決めを行うと同時にぐらつきと抜けの防止となる。これらにより、高剛性で信頼性の高い装置を実現可能である。
【００１１】
【発明の効果】
以上のように本発明によれば、ユニット装置カバーを一つの親カバーと複数の子カバーからなる２段分離式の組み合わせ構造にし、子カバーはそれぞれ別々に独立して親カバーから簡易脱着可能な構造にすることによって、プリント基板単位でそれぞれ簡単かつ能率的に交換を可能にし、作業性の向上を図る。また、締結部品を使わずに子カバーを親カバーの大きな連続穴形状に並列隣接させて位置決めできるツメ構造とカバー締結保持力の強い挟み込み式のツメ構造を有し、さらに子カバー自身が親カバーの強度補強のためのリブ構造機能を有すること、親カバーツメに弾力性を持たせること、親カバーが子カバーの挿入に対し挿入個所を簡単に位置決めできるようにすることにより、高剛性で信頼性の高い装置を提供すると共に、装置の小型化、及び低コスト化を実現する効果がある。
【図面の簡単な説明】
【図１】本発明の第１の実施の形態に係るユニット装置全体の等角図である。
【図２】図１の２段分離式組み合わせカバー構造を示す下面図である。
【図３】図１の親カバー構造を示す等角図である。
【図４】図１の子カバー構造を示す等角図である。
【図５】図９中のＡ−Ａ断面に対応する横断面図である。
【図６】図９中のＢ−Ｂ断面に対応する横断面図である。
【図７】図５に基づきはめ込まれた状態の親カバーと子カバーを示す横断面図である。
【図８】図６に基づきはめ込まれた状態の親カバーと子カバーを示す横断面図である。
【図９】図１の親カバーと子カバーを示す上断面図である。
【図１０】親カバーと子カバーの本発明に係る係合部を示す拡大上面図である。
【図１１】図１０のツメ構造を示す上面図である。（陰線表示）
【図１２】従来の公知例を示すユニット装置全体の等角図である。
【図１３】図１２の１段式カバー構造を示す下面図である。
【符号の説明】
１　樹脂製ケース本体
２　ケース穴
３　親カバー本体
４、９２　親カバーケース接合用ツメ（ケース用）
５、１８　親カバー基本部
６、１９　親カバーオプション部
７　親カバー上部ツメ（子カバー用）
８　親カバー下部ツメ（子カバー用）
９、８１　第１子カバー
１０、８２　第２子カバー
１１、８３　第３子カバー
１２　子カバー上部穴
１３　子カバー下部穴
１４　子カバーリブ構造
１５　インターフェースコネクタ用穴
１６、９３、９４、９５　プリント基板
１７　ライトアングルコネクタ
２０、２１　ケース取り付け用ツメ
２２　上部第１ツメ
２３　上部第２ツメ
２４　上部第３ツメ
２５　下部第１ツメ
２６　下部第２ツメ
２７　下部第３ツメ
２８、２９、３１、３２　切り欠き
３０、３３、３９、４０　子カバー位置決め用突起
３４、４９　表示灯用穴
３５、３６、３７、５０、５１、５２　スイッチ、コネクタ用穴
３８　電源端子用穴
４１　親カバー上部ツメ挿入用の穴
４４　親カバー下部ツメ挿入用の穴
４２、４３、４５、４６　子カバー位置決め用テーパ形状突起
４７　強度補強リブ形状
４８　プリント基板ガイド溝
５５　親カバー上部第１ツメ押し部
５６　親カバー上部第２ツメ押し部
５７　親カバー上部第３ツメ押し部
６０　親カバー上部ツメ先端部
６１　親カバー上部ツメ突起部
６２　親カバー上部ツメバネ部
６３　子カバー上部穴
６４　子カバー上部ガイド
７０　子カバー上部潜り込み用ツメ
７１　親カバー上部潜り込み用スペース
８０　親カバー
８４、８５　位直決め用突起
８６、８７　位億決め用テーパ形状ツメ
９０　ケース本体
９１　従来カバー
１１８　インターフェースコネクタ
１２４　親カバー上面
１２５　第１子カバー上面
１２６　子カバー上面左ツメ
１２７　子カバー上面右ツメ
１２８　子カバー上面左ツメ潜り部
１２９　子カバー上面右ツメ潜り部
１３０　子カバー上面穴
１３１　親カバー上部ツメ
１３２　親カバー上部板バネ部
１３３　親カバー上部左切り欠き部
１３４　親カバー上部右切り欠き部
１３５　子カバー位置決め用くさび部
１３６　子カバー位置決め用くさび部
１３７　第２子カバー上面
１３８　第３子カバー上面
１３９　子カバーリブ構造
１４０　プリント基板位置決め用溝
【図１】
2004071697.tif 000003
【図２】
2004071697.tif 000004
【図３】
2004071697.tif 000005
【図４】
2004071697.tif 000006
【図５】
2004071697.tif 000007
【図６】
2004071697.tif 000008
【図７】
2004071697.tif 000009
【図８】
2004071697.tif 000010
【図９】
2004071697.tif 000011
【図１０】
2004071697.tif 000012
【図１１】
2004071697.tif 000013
【図１２】
2004071697.tif 000014
【図１３】
2004071697.tif 000015